(57)【要約】【課題】遅延プロファイルの計算時間が短縮され、パスの追従精度を高めることである。【解決手段】遅延プロファイル計算部２１を、専用分相関器と共用分相関器とに分けて構成し、使用ユーザー数と前記共用分相関器の総数から各ユーザーに割り当てる共用分相関器数を計算する。これにより、使用ユーザー数が少ない場合、即ち、余っている相関器がある場合は、１ユーザーに割り当てる相関器の数を多くすることが可能となる。【選択図】  図２
2004242131.tif 000002
【特許請求の範囲】
【請求項１】
複数受信データを受け、各ユーザー毎に逆拡散のタイミングをずらしながら相関値レベルを求め、前記各ユーザー毎の最適な受信タイミングを指示するサーチャー部を有するＣＤＭＡ受信装置において、
前記サーチャー部は、
１ユーザーに割り当てられる第１〜第Ａ（Ａは２以上の整数）の専用分相関器及び第１〜第Ｃ（Ｃは２以上の整数）の共用分相関器からなる遅延プロファイル計算部と、
それぞれ各使用ユーザー（Ｙ１〜ＹＭ（Ｍ：最大使用ユーザー数））に割り当てる相関器の数（ｆ１〜ｆＭ個）を、前記使用ユーザーの数及び前記共用分相関器の総数（Ｃ）に基づいて計算して求め、前記各使用ユーザーに割り当てる相関器数のデータを前記遅延プロファイル計算部に出力する相関器割り当て制御部
を有することを特徴とするＣＤＭＡ受信装置。
【請求項２】
前記各ユーザーに割り当てる相関器数は、前記専用分相関器の個数（Ａ）と各使用ユーザー毎に割り当てられる前記共用分相関器の数（ｆ１〜ｆＭ個）との和となることを特徴とする請求項１記載のＣＤＭＡ受信装置。
【請求項３】
前記相関器割り当て制御部は、
使用ユーザー数を測定し、当該測定された使用ユーザー数のデータを出力する使用ユーザー数測定部と、
前記測定された使用ユーザー数と前記共用分相関器の総数から各使用ユーザーに割り当てる共用分相関器数を計算し、各使用ユーザー毎の共用分相関器数のデータを前記遅延プロファイル計算部へ出力する共用分相関器数計算部
を有することを特徴とする請求項１又は２記載のＣＤＭＡ受信装置。
【請求項４】
前記共用分相関器数計算部は、一定時間単位で使用ユーザー数の変更があるか否かの比較を行い、使用ユーザー数の変更がある場合には、使用ユーザー数と共用分相関器の総数とから各ユーザーに割り当てる共用分相関器数を計算し、各ユーザー毎の共用分相関器数のデータを前記遅延プロファイル計算部へ出力することを特徴とする請求項３記載のＣＤＭＡ受信装置。
【請求項５】
前記使用ユーザー数測定部はさらに、
受信品質があらかじめ定められたしきい値未満であるユーザー数を測定し、受信品質が前記しきい値未満であるユーザー数が０より多い場合には、当該しきい値未満のユーザー数のデータを前記共用分相関器数計算部へ出力し、
受信品質が前記しきい値未満のユーザー数が０の場合には、使用ユーザー数のデータを前記共用分相関器数計算部へ出力することを特徴とする請求項４記載のＣＤＭＡ受信装置。
【請求項６】
前記使用ユーザー数測定部はさらに、
セル半径の大きさがあらかじめ定められたしきい値以上であるユーザー数の測定し、セル半径の大きさがしきい値以上であるユーザー数が０より多い場合には、当該セル半径の大きさがしきい値以上であるユーザー数のデータを前記共用分相関器数計算部へ出力し、
セル半径の大きさがしきい値以上であるユーザー数が０の場合には、使用ユーザー数のデータを前記共用分相関器数計算部へ出力することを特徴とする請求項４又は５記載のＣＤＭＡ受信装置。
【請求項７】
前記相関器割り当て制御部は、
各使用ユーザーのセクタ数のカウントを行い、各使用ユーザーのセクタ数の総数のデータを出力する使用ユーザーセクタ数測定部と、
前記測定された各使用ユーザーのセクタ数の総数と前記共用分相関器の総数から各使用ユーザーに割り当てる共用分相関器数を計算し、各使用ユーザー毎の共用分相関器数のデータを前記遅延プロファイル計算部へ出力する共用分相関器数計算部
を有することを特徴とする請求項１又は２記載のＣＤＭＡ受信装置。
【請求項８】
前記共用分相関器数計算部は、一定時間単位で各使用ユーザーのセクタ数の総数の変更があるか否かの比較を行い、各使用ユーザーのセクタ数の総数の変更がある場合には、各使用ユーザーのセクタ数の総数と前記共用分相関器の総数とから、各ユーザーに割り当てる共用分相関器数を計算し、各ユーザー毎の共用分相関器数のデータを前記遅延プロファイル計算部へ出力することを特徴とする請求項７記載のＣＤＭＡ受信装置。
【請求項９】
前記サーチャー部は、さらに前記遅延プロファイル計算部から出力される各使用ユーザー毎の遅延プロファイル（ｅ１〜ｅＭ）を受け、各ユーザー毎に最適な受信タイミングを各ユーザー毎のピークタイミング（ｂ１〜ｂＭ）を指示するパスコントロール部を有し、
該パスコントロール部は、前記各ユーザー毎のピークタイミングから、一定時間単位で各使用ユーザー毎に前記各共用分相関器の解放優先順位（ｇ１，１〜ｇＭ，Ｃ）を計算する解放優先順位計算部を備えていることを特徴とする請求項１記載のＣＤＭＡ受信装置。
【請求項１０】
前記解放優先順位は、各相関器の出力であるそれぞれの遅延プロファイル内にパスがいるか否かに基づいて判断し、パスがいる相関器は解放優先順位が低くなるように、パスがいない相関器は解放優先順位が高くなるように設定されることを特徴とする請求項９記載のＣＤＭＡ受信装置。
【請求項１１】
複数受信データを受け、各ユーザー毎に逆拡散のタイミングをずらしながら相関値レベルを求め、前記各ユーザー毎の最適な相関器の割り当てを行う相関器割り当て制御方法において、
それぞれ各使用ユーザー（Ｙ１〜ＹＭ（Ｍ：最大使用ユーザー数））に割り当てる相関器の数（ｆ１〜ｆＭ個）を前記使用ユーザーの数及び共用分相関器の総数（Ｃ）に基づいて計算する第１のステップを有することを特徴とする相関器割り当て制御方法。
【請求項１２】
さらに、使用ユーザー数を測定する第２のステップと、
前記測定された使用ユーザー数と前記共用分相関器の総数から各使用ユーザーに割り当てる共用分相関器数を計算する第３のステップ
を有することを特徴とする請求項１１記載の相関器割り当て制御方法。
【請求項１３】
専用分相関器の個数（Ａ）と各使用ユーザー毎に割り当てられる前記共用分相関器の数（ｆ１〜ｆＭ個）との和を計算し、当該和を前記各使用ユーザーに割り当てる相関器の数とすることを特徴とする請求項１１記載の相関器割り当て制御方法。
【請求項１４】
さらに、一定時間単位で使用ユーザー数の変更があるか否かの比較を行う第４のステップと、
使用ユーザー数の変更がある場合には、使用ユーザー数と共用分相関器の総数とから各ユーザーに割り当てる共用分相関器数を計算する第５のステップ
をさらに有することを特徴とする請求項１３記載の相関器割り当て制御方法。
【発明の詳細な説明】
【０００１】
【発明の属する技術分野】
本発明は、ＣＤＭＡ移動体通信システムにおけるＣＤＭＡ受信装置及び相関器割り当て制御方法に関し、特にパスの追従精度を上げることが可能なＣＤＭＡ受信装置及び相関器割り当て制御方法に関する。
【０００２】
【従来の技術】
従来、フィンガー部と、相関器群及び加算器群及び加算後相関値からレベルの高い受信タイミングを探し、フィンガー部で受信するべき受信タイミングを決定するパスコントロール部を備えたサーチャー部とを有するＣＤＭＡ受信装置が知られている。
【０００３】
図２１は、従来の遅延プロファイル計算部における相関器割り当てを示したものであり、１ユーザーに割り当てる相関器７１の数＝４、最大使用ユーザー数Ｍ＝４とする。図２１に示すように、従来の相関器割り当て方法は、１ユーザーに割り当てる相関器の数は固定である。
【０００４】
また、先行技術文献である以下に示す特許文献１には複数サーチャー群の中から各ユーザ対応に選択、割り当てされることを特徴とする同期補足サーチ方法が開示されており、以下に示す特許文献２には、パスに応じた数のフィンガーをユーザに割り当てることを特徴とする逆拡散装置が開示されている。
【０００５】
【特許文献１】
特開２００１−９４４７３号公報
【０００６】
【特許文献２】
特開２００１−１８９６８０号公報
【０００７】
【発明が解決しようとする課題】
しかし、上記した従来の相関器割り当て方法には、次のような問題点があった。
【０００８】
第１の問題点は、使用ユーザー数が少ない場合、即ち、余っている相関器がある場合においても、遅延プロファイルの計算時間はセル半径の大きさに比例する為、セル半径が大きくなるにつれて、パスの追従精度が悪化するというものである。
【０００９】
その理由は、従来の相関器割り当て方法は、使用ユーザー数に関わらず、１ユーザーに割り当てる相関器の数は固定であるためである。
【００１０】
また、従来の相関器割り当て方法を、使用ユーザー数が少ない場合は、余っている残りの相関器を全て割り当てるように変更した場合、一度に新規ユーザーが多数起動された場合に、新規ユーザーの同期特性が劣化するという懸念があった。
【００１１】
本発明の目的は、以上の問題点を解決するＣＤＭＡ受信装置及び相関器割り当て制御方法を提供することである。
【００１２】
【課題を解決するための手段】
本発明に係るＣＤＭＡ受信装置は、複数受信データを受け、各ユーザー毎に逆拡散のタイミングをずらしながら相関値レベルを求め、前記各ユーザー毎の最適な受信タイミングを指示するサーチャー部を有するＣＤＭＡ受信装置において、前記サーチャー部が、１ユーザーに割り当てられる第１〜第Ａ（Ａは２以上の整数）の専用分相関器及び第１〜第Ｃ（Ｃは２以上の整数）の共用分相関器からなる遅延プロファイル計算部と、それぞれ各使用ユーザー（Ｙ１〜ＹＭ（Ｍ：最大使用ユーザー数））に割り当てる相関器の数（ｆ１〜ｆＭ個）を、前記使用ユーザーの数及び前記共用分相関器の総数（Ｃ）に基づいて計算して求め、前記各使用ユーザーに割り当てる相関器数のデータを前記遅延プロファイル計算部に出力する相関器割り当て制御部を有することを特徴とする。
【００１３】
又、本発明に係る相関器割り当て制御方法は、複数受信データを受け、各ユーザー毎に逆拡散のタイミングをずらしながら相関値レベルを求め、前記各ユーザー毎の最適な相関器割り当てを行う相関器割り当て制御方法において、それぞれ各使用ユーザー（Ｙ１〜ＹＭ（Ｍ：最大使用ユーザー数））に割り当てる相関器の数（ｆ１〜ｆＭ個）を、前記使用ユーザーの数及び共用分相関器の総数（Ｃ）に基づいて計算するステップを有することを特徴とする。
【００１４】
【発明の実施の形態】
図１は、本発明の一実施の形態に係るＣＤＭＡ受信装置の構成を示すブロック図である。図１に示すように、ＣＤＭＡ受信装置１０は、各ユーザー毎に備えられているフィンガー部１１１〜１１Ｍ、サーチャー部１２、各ユーザー毎に備えられているＲＡＫＥ合成部１３１〜１３Ｍ及び各ユーザー毎に備えられている復号部１４１〜１４Ｍを有している。
【００１５】
ＣＤＭＡ受信装置１０に入力された各ユーザー毎の受信データａ１〜ａＭは、フィンガー部１１１〜１１Ｍとサーチャー部１２にそれぞれ入力される。サーチャー部１２は、受信データａ１〜ａＭを、各ユーザー毎に逆拡散のタイミングを少しずつずらしながら相関値レベルを求め、最適な受信タイミングを探し、フィンガー部１１１〜１１Ｍで受信するべき受信タイミングを各ユーザー毎のピークタイミングｂ１〜ｂＭで、各フィンガー部１１１〜１１Ｍ内の各ｆｉｎｇｅｒ＃１〜＃ｎに指示する。
【００１６】
フィンガー部１１１〜１１Ｍは、各ユーザー毎に備えられ、例としてフィンガー部１１１について述べると、フィンガー部１１１はピークタイミングｂ１で指示された受信タイミングで受信データａ１の逆拡散を行い、検波処理を行う。フィンガー部１１１の出力は、各ユーザー毎に備えられているＲＡＫＥ合成部１３１にそれぞれ入力されて加算され、加算後のデータは各ユーザー毎に備えられている復号部１４１で復号される。ここで、各フィンガー部１１１内の各ｆｉｎｇｅｒ＃１〜＃ｎは、このＣＤＭＡ受信装置１０で処理するパス数に応じて用意され、フィンガー部１１１でｎ＝１０であれば、最大１０パスＲＡＫＥ合成が可能となる。
【００１７】
図２は、図１のサーチャー部の詳細な構成を示すブロック図である。サーチャー部は、遅延プロファイル計算部２１とパスコントロール部２２と相関器割り当て制御部２３から構成される。
【００１８】
遅延プロファイル計算部２１は、受信データａ１〜ａＭを、各ユーザー毎に逆拡散のタイミングを少しずつずらしながら相関値レベルを求め、各ユーザー毎の加算後相関値（遅延プロファイル）ｅ１〜ｅＭをパスコントロール部２２に出力する。パスコントロール部２２は、加算後相関値ｅ１〜ｅＭから、各ユーザー毎にレベルの高い受信タイミングを探す、即ち、ピークを検出し、フィンガー部１１１〜１１Ｍで受信するべき受信タイミングを各ユーザー毎のピークタイミングｂ１〜ｂＭで、各フィンガー部１１１〜１１Ｍ内の各ｆｉｎｇｅｒ＃１〜＃ｎに指示する。
【００１９】
相関器割り当て制御部２３は、使用ユーザー数測定部２４と共用分相関器数計算部２５から構成される。使用ユーザー数測定部２４は、使用ユーザー数のカウントを行い、使用ユーザー数を共用分相関器数計算部２５へ出力する。共用分相関器数計算部２５は、使用ユーザー数と共用分相関器４２の総数Ｃから各ユーザーに割り当てる共用分相関器数を計算し、各ユーザー毎の共用分相関器数ｆ１〜ｆＭを遅延プロファイル計算部２１へ出力する。
【００２０】
図４は、図２の遅延プロファイル計算部２１の詳細な構成を示すブロック図である。図４に示すように、遅延プロファイル計算部２１は、専用分相関器４１と共用分相関器４２から構成され、１ユーザーに割り当てる相関器の数は、１ユーザーに割り当てる専用分相関器４１の数Ａと各ユーザー毎の共用分相関器４２の数ｆ１〜ｆＭとの和である。各ユーザー毎の共用分相関器４２の数ｆ１〜ｆＭは、相関器割り当て制御部２３において計算される。尚、図４において、１ユーザーに割り当てる専用分相関器４１の数Ａ＝２、共用分相関器４２の総数Ｃ＝８、最大使用ユーザー数Ｍ＝４とする。
【００２１】
図５は、図４の遅延プロファイル計算部の各相関器４１、４２、７１の詳細な構成を示すブロック図である。図５に示すように、受信データａは、相関器群５２の更に各相関器に入力され、各相関器は、それぞれ少しずつ異なる受信タイミングで逆拡散を行う。相関器の出力である相関値ｃは、加算器群５３の各加算器にそれぞれ入力される。
【００２２】
各加算器は、相関値を指定回数（パラメータとして変更可能とする）加算（積分）し、加算後相関値（遅延プロファイル）ｄを出力する。拡散符号発生器５４は、相関器５２で逆拡散するための拡散符号を発生し、サーチ用遅延回路５５に出力する。
【００２３】
次に、図２、図３、図４、図６〜図８を参照して本実施の形態に係るＣＤＭＡ受信装置の動作について詳細に説明する。
【００２４】
図２に示すように、相関器割り当て制御部２３は、使用ユーザー数測定部２４と共用分相関器数計算部２５から構成され、使用ユーザー数測定部２４は、使用ユーザー数のカウントを行い、使用ユーザー数を共用分相関器数計算部２５へ出力する。共用分相関器数計算部２５は、一定時間単位で使用ユーザー数の変更ありか否かの比較を行い（図３のＳ３１、Ｓ３２）、使用ユーザー数の変更ありの場合は、使用ユーザー数と共用分相関器４２の総数Ｃとから各ユーザーに割り当てる共用分相関器数を計算し（図３のＳ３３〜Ｓ３８）、各ユーザー毎の共用分相関器数ｆ１〜ｆＭを遅延プロファイル計算部２１へ出力する。
【００２５】
図４を参照すると、遅延プロファイル計算部２１は、専用分相関器４１と共用分相関器４２から構成される。尚、上述したように１ユーザーに割り当てる専用分相関器４１の数Ａ＝２、共用分相関器４２の総数Ｃ＝８、最大使用ユーザー数Ｍ＝４とする。ここで、１ユーザーに割り当てる相関器の数は、１ユーザーに割り当てる専用分相関器４１の数Ａと各ユーザー毎の共用分相関器４２の数ｆ１〜ｆＭとの和である。
【００２６】
図６〜図８は、遅延プロファイル計算部２１における相関器割り当ての一実施例であり、図６は使用ユーザー数＝１の場合、図７は使用ユーザー数＝２の場合、図８は使用ユーザー数＝４（＝最大使用ユーザー数Ｍ）の場合である。また、同図６〜図８共に、１ユーザーに割り当てる専用分相関器４１の数Ａ＝２、共用分相関器４２の総数Ｃ＝８、最大使用ユーザー数Ｍ＝４とする。
【００２７】
図６は、使用ユーザー数＝１であることから、Ｕｓｅｒ＃１の共用分相関器４２の数ｆ１＝８となり、Ｕｓｅｒ＃１に割り当てる相関器の数は、１ユーザーに割り当てる専用分相関器４１の数Ａと、Ｕｓｅｒ＃１の共用分相関器４２の数ｆ１の和、すなわち２＋８＝１０となる。
【００２８】
図７は、使用ユーザー数＝２であることから、Ｕｓｅｒ＃１，＃２の共用分相関器４２の数ｆ１，ｆ２＝４となり、Ｕｓｅｒ＃１、＃２に割り当てる相関器の数は、１ユーザーに割り当てる専用分相関器４１の数Ａと、Ｕｓｅｒ＃１，＃２の共用分相関器４２の数ｆ１，ｆ２の和、すなわち２＋４＝６となる。
【００２９】
図８は、使用ユーザー数＝４（＝最大使用ユーザー数Ｍ）であることから、Ｕｓｅｒ＃１〜＃４の共用分相関器４２の数ｆ１，ｆ２，ｆ３，ｆ４＝２となり、Ｕｓｅｒ＃１〜＃４に割り当てる相関器の数は、１ユーザーに割り当てる専用分相関器４１の数Ａと、Ｕｓｅｒ＃１〜＃４の共用分相関器４２の数ｆ，ｆ２，ｆ３，ｆ４の和、すなわち２＋２＝４となる。
【００３０】
以上より、使用ユーザー数測定部２４において使用ユーザー数のカウントを行い、共用分相関器数計算部２５において使用ユーザー数と共用分相関器４２の総数Ｃとから各ユーザーに割り当てる共用分相関器数を計算することで、使用ユーザー数が少ない場合、即ち、余っている相関器がある場合は、１ユーザーに割り当てる相関器の数を多くすることが可能になり、遅延プロファイルの計算時間が短縮される。
【００３１】
これにより、従来の相関器割り当て方法の問題点であった、使用ユーザー数が少ない場合、即ち、余っている相関器がある場合においても、遅延プロファイルの計算時間はセル半径の大きさに比例する為、セル半径が大きくなるにつれて、パスの追従精度が悪化するという問題を解消する。
【００３２】
また、遅延プロファイル計算部２１を、全て共用分相関器４２から構成せず、専用分相関器４１と共用分相関器４２とに分けて構成することで、新規ユーザーに対して専用分相関器４１を即時に割り当てることが可能になり、従来の懸念事項であった、従来の相関器割り当て方法を、使用ユーザー数が少ない場合は、余っている残りの相関器を全て割り当てるように変更した場合や、一度に新規ユーザーが多数起動された場合に生ずる問題点、すなわち新規ユーザーの同期特性が劣化するという懸念を解消する。
【００３３】
次に、本発明の他の実施の形態について図面を参照して詳細に説明する。
【００３４】
図９は、本発明の他の実施の形態に係るサーチャー部の構成を示すブロック図である。本実施の形態は、共用分相関器数計算部２５において、使用ユーザー数と共用分相関器４２の総数Ｃから各ユーザーに割り当てる共用分相関器数を計算する際、受信品質も加味する点で異なる。
【００３５】
使用ユーザー数測定部２４は、使用ユーザー数のカウントの他に、受信品質がしきい値未満のユーザー数測定部８１において、各ユーザー毎の受信品質から、受信品質がしきい値未満のユーザー数のカウントを行い、受信品質がしきい値未満のユーザー数＞０の場合は、受信品質がしきい値未満のユーザー数を共用分相関器数計算部２５へ出力する。受信品質がしきい値未満のユーザー数＝０の場合は、使用ユーザー数を共用分相関器数計算部２５へ出力する。
【００３６】
共用分相関器数計算部２５は、使用ユーザー数と共用分相関器４２の総数Ｃから、各ユーザーに割り当てる共用分相関器数を計算し、共用分相関器数を遅延プロファイル計算部２１へ出力する。
【００３７】
図１０は、遅延プロファイル計算部２１における相関器割り当ての一実施例であり、使用ユーザー数＝３、受信品質がしきい値未満のユーザー数＝２＞０の場合（Ｕｓｅｒ＃１、＃２の受信品質がしきい値未満の場合）である。
【００３８】
また、１ユーザーに割り当てる専用分相関器４１の数Ａ＝２、共用分相関器４２の総数Ｃ＝８、最大使用ユーザー数Ｍ＝４とする。
【００３９】
図１０は、使用ユーザー数＝３、受信品質がしきい値未満のユーザー数＝２＞０（Ｕｓｅｒ＃１、＃２の受信品質がしきい値未満の場合）であることから、Ｕｓｅｒ＃１、＃２の共用分相関器４２の数＝４、Ｕｓｅｒ＃３の共用分相関器４２の数＝０となり、Ｕｓｅｒ＃１、＃２に割り当てる相関器の数は、１ユーザーに割り当てる専用分相関器４１の数Ａ＋Ｕｓｅｒ＃１、＃２の共用分相関器４２の数ｆ１、ｆ２＝２＋４＝６となり、Ｕｓｅｒ＃３に割り当てる相関器の数は、１ユーザーに割り当てる専用分相関器４１の数Ａ＋Ｕｓｅｒ＃３の共用分相関器４２の数ｆ３＝２＋０＝２となる。
【００４０】
以上のような処理を行うことにより、受信品質の悪いユーザーに対して、相関器をより多く割り当てることが可能になる。
【００４１】
次に、本発明の更に他の実施の形態について図面を参照して詳細に説明する。
【００４２】
図１１は、本発明の更に他の実施の形態に係るサーチャー部の構成を示すブロック図である。本実施の形態は、共用分相関器数計算部２５において、使用ユーザー数と共用分相関器４２の総数Ｃから各ユーザーに割り当てる共用分相関器数を計算する際、セル半径の大きさも加味する点で異なる。
【００４３】
使用ユーザー数測定部２４は、使用ユーザー数のカウントの他に、セル半径の大きさがしきい値以上のユーザー数測定部１０１において、各ユーザー毎のセル半径から、セル半径の大きさがしきい値以上のユーザー数のカウントを行い、セル半径の大きさがしきい値以上のユーザー数＞０の場合は、セル半径の大きさがしきい値以上のユーザー数を共用分相関器数計算部２５へ出力する。セル半径の大きさがしきい値以上のユーザー数＝０の場合は、使用ユーザー数を共用分相関器数計算部２５へ出力する。
【００４４】
共用分相関器数計算部２５は、使用ユーザー数と共用分相関器４２の総数Ｃから、各ユーザーに割り当てる共用分相関器数を計算し、各ユーザー毎の共用分相関器数ｆ１〜ｆＭを遅延プロファイル計算部２１へ出力する。
【００４５】
図１２は、遅延プロファイル計算部２１における相関器割り当ての一実施例であり、使用ユーザー数＝３、セル半径の大きさがしきい値以上のユーザー数＝１＞０の場合（Ｕｓｅｒ＃２のセル半径の大きさがしきい値以上の場合）である。また、１ユーザーに割り当てる専用分相関器４１の数Ａ＝２、共用分相関器４２の総数Ｃ＝８、最大使用ユーザー数Ｍ＝４とする。
【００４６】
図１２は、使用ユーザー数＝３、セル半径の大きさがしきい値以上のユーザー数＝１＞０（Ｕｓｅｒ＃２のセル半径の大きさがしきい値以上の場合）であることから、Ｕｓｅｒ＃１、＃２の共用分相関器４２の数＝４、Ｕｓｅｒ＃３の共用分相関器４２の数＝０となり、Ｕｓｅｒ＃２に割り当てる相関器の数は、１ユーザーに割り当てる専用分相関器４１の数Ａ＋Ｕｓｅｒ＃２の共用分相関器４２の数ｆ２＝２＋８＝１０となり、Ｕｓｅｒ＃１、＃３に割り当てる相関器の数は、１ユーザーに割り当てる専用分相関器４１の数Ａ＋Ｕｓｅｒ＃１、＃３の共用分相関器４２の数ｆ１、ｆ３＝２＋０＝２となる。
【００４７】
以上のような処理を行うことにより、セル半径の大きいユーザーに対して、相関器をより多く割り当てることが可能になる。
【００４８】
次に、本発明の更に他の実施の形態について図面を参照して詳細に説明する。
【００４９】
図１３は、本発明の更に他の実施の形態に係るサーチャー部の構成を示すブロック図である。本実施の形態は、共用分相関器数計算部２５において、使用ユーザー数と共用分相関器４２の総数Ｃから各ユーザーに割り当てる共用分相関器数を計算する際、各使用ユーザーのセクタ数を加味する点で異なる。
【００５０】
各使用ユーザーのセクタ数測定部１２１は、各使用ユーザーのセクタ数のカウントを行い、各使用ユーザーのセクタ数の総数を共用分相関器数計算部２５へ出力する。
【００５１】
共用分相関器数計算部２５は、一定時間単位で各使用ユーザーのセクタ数の総数の変更ありか否かの比較を行い（図１４のＳ１３１、Ｓ１３２）、各使用ユーザーのセクタ数の総数の変更ありの場合は、各使用ユーザーのセクタ数の総数と共用分相関器４２の総数Ｃから、各ユーザーに割り当てる共用分相関器数を計算し（図１４のＳ１３３〜Ｓ１３８）、各ユーザー毎の共用分相関器数ｆ１〜ｆＭを遅延プロファイル計算部２１へ出力する。
【００５２】
図１５は、遅延プロファイル計算部２１における相関器割り当ての一実施例であり、使用ユーザー数＝３、各使用ユーザーのセクタ数の総数＝４の場合である。また、Ｕｓｅｒ＃１のセクタ数＝１、Ｕｓｅｒ＃２のセクタ数＝２、Ｕｓｅｒ＃３のセクタ数＝１とする。また、１ユーザーに割り当てる専用分相関器４１の数Ａ＝２、共用分相関器４２の総数Ｃ＝８、最大使用ユーザー数Ｍ＝４とする。
【００５３】
図１５は、Ｕｓｅｒ＃１のセクタ数＝１、Ｕｓｅｒ＃２のセクタ数＝２、Ｕｓｅｒ＃３のセクタ数＝１であることから、Ｕｓｅｒ＃２の共用分相関器４２の数ｆ２＝４、Ｕｓｅｒ＃１、＃３の共用分相関器４２の数ｆ１、ｆ３＝２となり、Ｕｓｅｒ＃２に割り当てる相関器の数は、１ユーザーに割り当てる専用分相関器４１の数Ａ＋Ｕｓｅｒ＃２の共用分相関器４２の数ｆ２＝２＋４＝６となり、Ｕｓｅｒ＃１、＃３に割り当てる相関器の数は、１ユーザーに割り当てる専用分相関器４１の数Ａ＋Ｕｓｅｒ＃１、＃３の共用分相関器４２の数ｆ１、ｆ３＝２＋２＝４となる。
【００５４】
以上のような処理を行うことにより、セクタ数の多いユーザーに対して、相関器をより多く割り当てることが可能になる。
【００５５】
次に、本発明の更に他の実施の形態について図面を参照して詳細に説明する。
【００５６】
図１６は、本発明の更に他の実施の形態に係るサーチャー部の構成を示すブロック図である。本実施の形態は、各相関器の解放優先順位計算部１５１において、各使用ユーザー毎に各共用相関器の解放優先順位を加味する点で異なる。
【００５７】
各共用相関器の解放優先順位計算部１５１は、パスコントロール部２２で検出するパス情報（各ユーザー毎のピークタイミングｂ１〜ｂＭ等）から、一定時間単位で各使用ユーザー毎に各共用相関器の解放優先順位ｇ１，１〜ｇＭ，Ｃを計算し、遅延プロファイル計算部２１へ出力する。
【００５８】
解放優先順位ｇ１，１〜ｇＭ，Ｃは、各相関器の出力であるそれぞれの加算後相関値（遅延プロファイル）ｄ内にパスがいるか否か等から判断し、パスがいる相関器は解放優先順位が低くなるように、パスがいない相関器は解放優先順位が高くなるように設定する。
【００５９】
共用分相関器数計算部２５は、使用ユーザー数と共用分相関器４２の総数Ｃから、各ユーザーに割り当てる共用分相関器数を計算し、各ユーザー毎の共用分相関器数ｆ１〜ｆＭを遅延プロファイル計算部２１へ出力する。
【００６０】
図１７及び図１８は、遅延プロファイル計算部２１における相関器割り当ての一実施例であり、図１７は使用ユーザー数＝１の場合、図１８は使用ユーザー数＝２の場合である。
【００６１】
また、図１７及び図１８共に、１ユーザーに割り当てる専用分相関器４１の数Ａ＝２、共用分相関器４２の総数Ｃ＝８、最大使用ユーザー数Ｍ＝４とする。
【００６２】
図１７は、使用ユーザー数＝１であることから、Ｕｓｅｒ＃１に割り当てる相関器の数は、専用分相関器４１の数Ａ＋Ｕｓｅｒ＃１の共用分相関器４２の数ｆ１＝２＋８＝１０となる。
【００６３】
また、Ｕｓｅｒ＃１の各相関器の解放優先順位ｇ１，１〜ｇＭ，８は、ｇ１，１＝１、ｇ１，２＝２、ｇ１，３＝３、ｇ１，４＝８、ｇ１，５＝６、ｇ１，６＝５、ｇ１，７＝７、ｇ１，８＝４とする。
【００６４】
図１８は、図１７の状態から新規ユーザーであるＵｓｅｒ＃２が追加されて使用ユーザー数＝２に変わった場合である。
【００６５】
使用ユーザー数＝２であることから、Ｕｓｅｒ＃１、＃２に割り当てる相関器の数は、１ユーザーに割り当てる専用分相関器４１の数Ａ＋Ｕｓｅｒ＃１、＃２の共用分相関器４２の数ｆ１、ｆ２＝２＋４＝６となり、Ｕｓｅｒ＃１に割り当てられていた共用分相関器４２の数ｆ１＝８の内、Ｕｓｅｒ＃１の各相関器の解放優先順位ｇ１，１〜ｇＭ，８から解放優先順位の高い順にｇ１，１＝１、ｇ１，２＝２、ｇ１，３＝３、ｇ１，８＝４の４相関器が解放されてＵｓｅｒ＃２に割り当てられる。
【００６６】
以上のような処理を行うことにより、新規ユーザーであるＵｓｅｒ＃２に対して、相関器をより多く即時に割り当てることが可能になる。
【００６７】
また、本実施の形態は、図１９、図２０に示すように、遅延プロファイル計算部２１を、全て共用分相関器４２から構成することも可能である。
【００６８】
以上の本発明の他の実施の形態は、各実施の形態を組み合わせることによって、更に他の実施の形態が考えられる。
【００６９】
例えば、共用分相関器計算部２５において、使用ユーザー数と共用分相関器４２の総数Ｃから各ユーザーに割り当てる共用分相関器数を計算する際、受信品質とセル半径の両方を加味する実施の形態が考えられる。
【００７０】
また例えば、図１１のセル半径の大きさを加味する実施の形態においては、各セクタ毎にセル半径が異なることを想定して各セクタ毎のセル半径を加味する実施の形態が考えられる。
【００７１】
また例えば、図１３の各使用ユーザーのセクタ数を加味する実施の形態においては、各使用ユーザーのセクタ数の内、有効セクタのみを加味する実施の形態が考えられる。
【００７２】
また例えば、図１６の各使用ユーザー毎の各相関器の解放優先順位を加味する実施の形態においては、本発明の全ての各実施例と組み合わせることによって、更に他の実施の形態が考えられる。
【００７３】
【発明の効果】
本発明によれば、使用ユーザー数が少ない場合、即ち、余っている相関器がある場合においても、遅延プロファイルの計算時間はセル半径の大きさに比例する為、セル半径が大きくなるにつれて、パスの追従精度が悪化するといった従来の問題を解消する。
【００７４】
その理由は、使用ユーザー数測定部２４において使用ユーザー数のカウントを行い、共用分相関器数計算部２５において使用ユーザー数と共用分相関器４２の総数Ｃから各ユーザーに割り当てる共用分相関器数を計算することで、使用ユーザー数が少ない場合、即ち、余っている相関器がある場合は、１ユーザーに割り当てる相関器の数を多くすることが可能になり、遅延プロファイルの計算時間が短縮されるためである。
【００７５】
又、本発明によれば、従来の相関器割り当て方法を、使用ユーザー数が少ない場合は、余っている残りの相関器を全て割り当てるように変更した場合、一度に新規ユーザーが多数起動された場合に、新規ユーザーの同期特性が劣化するといった従来の懸念を解消する。
【００７６】
その理由は、遅延プロファイル計算部２１を、全て共用分相関器４２から構成せず、専用分相関器４１と共用分相関器４２とに分けて構成することで、一度に新規ユーザーが多数起動された場合においても、新規ユーザーに対して専用分相関器４１を即時に割り当てることが可能になるためである。
【図面の簡単な説明】
【図１】本発明の実施の形態に係るＣＤＭＡ受信装置の構成を示すブロック図である。
【図２】本発明の実施の形態に係るサーチャー部の詳細な構成を示すブロック図である。
【図３】本発明の実施の形態に係る共用分相関器数計算部の動作を示すフローチャートである。
【図４】本発明の実施の形態に係る遅延プロファイル計算部の詳細な構成を示す図である。
【図５】本発明の実施の形態に係る遅延プロファイル計算部の各相関器の詳細な構成を示すブロック図である。
【図６】本発明の実施の形態に係る遅延プロファイル計算部における相関器割り当ての実施例を示す図である。
【図７】本発明の実施の形態に係る遅延プロファイル計算部における相関器割り当ての他の実施例を示す図である。
【図８】本発明の実施の形態に係る遅延プロファイル計算部における相関器割り当ての更に他の実施例を示す図である。
【図９】本発明の他の実施の形態に係るサーチャー部の詳細な構成を示すブロック図である。
【図１０】本発明の他の実施の形態に係る遅延プロファイル計算部における相関器割り当ての一実施例を示す図である。
【図１１】本発明の更に他の実施の形態に係るサーチャー部の詳細な構成を示すブロック図である。
【図１２】本発明の更に他の実施の形態に係る遅延プロファイル計算部における相関器割り当ての一実施例を示す図である。
【図１３】本発明の更に他の実施の形態に係るサーチャー部の詳細な構成を示すブロック図である。
【図１４】本発明の更に他の実施の形態に係る共用分相関器数計算部の動作を示すフローチャートである。
【図１５】本発明の更に他の実施の形態に係る遅延プロファイル計算部における相関器割り当ての一実施例を示した図である。
【図１６】本発明の更に他の実施の形態に係るサーチャー部の詳細な構成を示すブロック図である。
【図１７】本発明の更に他の実施の形態に係る遅延プロファイル計算部における相関器割り当ての一実施例を示す図である。
【図１８】本発明の更に他の実施の形態に係る遅延プロファイル計算部における相関器割り当ての他の実施例を示す図である。
【図１９】本発明の更に他の実施の形態に係る遅延プロファイル計算部における相関器割り当ての一実施例を示す図である。
【図２０】本発明の更に他の実施の形態に係る遅延プロファイル計算部における相関器割り当ての他の実施例を示す図である。
【図２１】従来の遅延プロファイル計算部の構成を示す図である。
【符号の説明】
１０    ＣＤＭＡ受信装置
１１１〜１１Ｍ    フィンガー部
１２    サーチャー部
１３１〜１３Ｍ    ＲＡＫＥ合成部
１４１〜１４Ｍ    復号部
ａ１〜ａＭ    受信データ
ｂ１〜ｂＭ    ピークタイミング
ｃ    相関値
ｄ    加算後相関値（遅延プロファイル）
ｅ１〜ｅＭ    加算後相関値（遅延プロファイル）
ｆ１〜ｆＭ  共用分相関器数
２１    遅延プロファイル計算部
２２    パスコントロール部
２３    相関器割り当て制御部
２４    使用ユーザー数測定部
２５    共用分相関器数計算部
４１    専用分相関器
４２    共用分相関器
５２    相関器群
５３    加算器群
５４    拡散符号発生器
５５    サーチ用遅延回路
８１    受信品質がしきい値未満のユーザー数測定部
１０１    セル半径の大きさがしきい値以上のユーザー数測定部
１２１    各使用ユーザーのセクタ数測定部
１５１    各共用相関器の解放優先順位計算部
【図１】
2004242131.tif 000003
【図２】
2004242131.tif 000004
【図３】
2004242131.tif 000005
【図４】
2004242131.tif 000006
【図５】
2004242131.tif 000007
【図６】
2004242131.tif 000008
【図７】
2004242131.tif 000009
【図８】
2004242131.tif 000010
【図９】
2004242131.tif 000011
【図１０】
2004242131.tif 000012
【図１１】
2004242131.tif 000013
【図１２】
2004242131.tif 000014
【図１３】
2004242131.tif 000015
【図１４】
2004242131.tif 000016
【図１５】
2004242131.tif 000017
【図１６】
2004242131.tif 000018
【図１７】
2004242131.tif 000019
【図１８】
2004242131.tif 000020
【図１９】
2004242131.tif 000021
【図２０】
2004242131.tif 000022
【図２１】
2004242131.tif 000023